(57)【要約】【課題】  銀の変色を抑制して装飾効果を得ながら、かつ、殺菌効果も得ることができる装飾体及び該装飾体の製造方法を提供する。【解決手段】  被装飾体の表面に接着剤を塗布した後、銀を叩いて引き伸ばしてなる打箔である銀箔の両面を樹脂で被覆した装飾箔を粉砕してなる銀箔粉内へ該被装飾体を潜らせて該被装飾体の表面に付着する作業と被装飾体の表面に付着した余分な装飾粉を除去する作業とを交互に繰り返すことによって被装飾体の表面に装飾粉を付着する。【選択図】  図１
2008137281.tif 000002
【特許請求の範囲】
【請求項１】
打箔である銀箔の両面を樹脂で被覆した装飾箔を粉砕してなる装飾粉を被装飾体の表面に塗布された接着剤に付着させたことを特徴とする装飾体。
【請求項２】
被装飾体の表面に接着剤を塗布した後、被装飾体を銀箔粉内へ潜らせて該被装飾体の表面に装飾粉を付着する作業と被装飾体の表面に付着した余分な装飾粉を除去する作業とを交互に繰り返すことによって被装飾体の表面に装飾粉を付着させた請求項１記載の装飾体。
【請求項３】
被装飾体の表面に接着剤を塗布した後、打箔である銀箔の両面を樹脂で被覆した装飾箔を粉砕してなる銀箔粉内へ該被装飾体を潜らせて該被装飾体の表面に付着する作業と被装飾体の表面に付着した余分な装飾粉を除去する作業とを交互に繰り返すことによって被装飾体の表面に装飾粉を付着させることを特徴とする装飾体の製造方法。
【発明の詳細な説明】
【技術分野】
【０００１】
本発明は、装飾体に関するものである。
【背景技術】
【０００２】
周知の通り、銀は、上品な光沢を有し、かつ、展性に富む金属であるため、古くから薄く打ち延ばして箔（銀箔）にした状態、あるいは、該箔を粉砕して粉末（銀箔粉）にした状態で着物や工芸品などの装飾材として使用されている。
【０００３】
また、近年においては、銀箔や銀箔粉の代用品となる真空蒸着技術を利用した装飾材が開発されており、例えば、後出特許文献１には、少なくとも顔料着色樹脂塗膜Ａと金属薄膜Ｂとからなり、これらがＡ／Ｂ／Ａの順に真空蒸着によって密着して積層されてなる着色箔が開示されており、また、後出特許文献２には、当該特許文献１に記載された着色箔を粉砕してなる着色粉が開示されている。
【０００４】
しかし、銀は長期間に渡って空気に触れると、空気中の硫黄成分と反応して硫化銀となり、黒ずんで光沢を失う性質を有しており、このため、前記各装飾材を使用する場合には、変色を抑制するため、銀が空気に触れないように透明樹脂などで被覆した態様で使用されており、例えば、後出特許文献３には、貝殻で製作した球体の表面に樹脂で金、銀、プラチナなどの貴金属箔を貼着し、その上に透明樹脂をコーティングして成る、貴金属光沢を有する装飾珠が開示されている。
【０００５】
また、古くから前記各装飾材を着物や帯等の和服の装飾に使用する場合には、当該各装飾体を水でといた膠に分散させた液状物（銀泥）として使用されている。
【０００６】
一方、近年、銀から放出される銀イオンが、サルモネラ菌やブドウ球菌などの病原菌に対して殺菌効果を有することが注目されており、また、銀は、人体に対する毒性が非常に低い金属であることから、これらの銀特有の効果を利用した生活用品が多数開発されている。
【特許文献１】特開昭６２−１５９３７
【特許文献２】特開昭６２−２１０４１
【特許文献３】実開平６−７５１６
【発明の開示】
【発明が解決しようとする課題】
【０００７】
ところが、銀の殺菌効果を得るためには、銀自体を空気や水に直接接触させる必要があり、装飾材として使用する場合のように銀を樹脂に分散させた状態で使用すると、銀が樹脂に被覆された状態となって空気や水に直接接触できなくなり、殺菌効果が得られなくなる。
【０００８】
即ち、銀の殺菌効果を得る場合には、銀を空気や水に接触させるために露出させた態様で使用する必要があるのに対して、銀の装飾効果を得る場合には、銀の変色を抑制するために露出させない態様で使用する必要があり、両効果を同時に得ることは非常に困難であった。
【０００９】
そこで、本発明は、銀の変色を抑制して装飾効果を得ながら、かつ、殺菌効果も得ることができる装飾体を提供することを技術的課題として、その具現化をはかるべく、試作・実験を繰り返した結果、被装飾体の表面に接着剤を塗布した後、打箔である銀箔の両面を樹脂で被覆した装飾箔を粉砕してなる銀箔粉内へ該被装飾体を潜らせて該被装飾体の表面に付着する作業と被装飾体の表面に付着した余分な装飾粉を除去する作業とを交互に繰り返すことによって被装飾体の表面に装飾粉を付着させれば、装飾粉の断面に露出する銀箔が装飾体の表面に露出し、また、銀箔の変色も抑制されるという刮目すべき知見を得、前記技術的課題を達成したものである。
【課題を解決するための手段】
【００１０】
前記技術的課題は、次の通りの本発明によって解決できる。
【００１１】
即ち、本発明に係る装飾体は、打箔である銀箔の両面を樹脂で被覆した装飾箔を粉砕してなる装飾粉を被装飾体の表面に塗布された接着剤に付着させたものである。
【００１２】
また、本発明は、前記装飾体において、被装飾体の表面に接着剤を塗布した後、被装飾体を銀箔粉内へ潜らせて該被装飾体の表面に装飾粉を付着する作業と被装飾体の表面に付着した余分な装飾粉を除去する作業とを交互に繰り返すことによって被装飾体の表面に装飾粉を付着させたものである。
【００１３】
また、本発明に係る装飾体の製造方法は、被装飾体の表面に接着剤を塗布した後、打箔である銀箔の両面を樹脂で被覆した装飾箔を粉砕してなる銀箔粉内へ該被装飾体を潜らせて該被装飾体の表面に付着する作業と被装飾体の表面に付着した余分な装飾粉を除去する作業とを交互に繰り返すことによって被装飾体の表面に装飾粉を付着させるものである。
【発明の効果】
【００１４】
本発明によれば、被装飾体の表面に銀箔の両面を樹脂層で被覆した構成を有する装飾粉を定着させたので、装飾粉の断面から露出した銀箔が装飾体の表面に現れ、装飾体を空気や水に接触させると銀イオンが放出されて殺菌効果を得ることができる。また、装飾粉の銀層として蒸着によって形成された銀膜ではなく、打箔である銀箔を使用したので、装飾粉の断面から露出した銀箔の端辺から中心へと進む変色の広がりを抑制することができる。これは、打箔である銀箔は、蒸着によって形成された銀膜に比べて分厚く、また、構造が異なるためであると考えられる。
【００１５】
従って、本発明の産業上利用性は非常に高いといえる。
【発明を実施するための最良の形態】
【００１６】
以下、本発明の実施の形態を図面に基づき説明する。
【００１７】
実施の形態．
【００１８】
図１は本実施の形態に係る装飾体を示した断面図である。図２は図１の装飾体の表面に付着された装飾粉を示した断面図である。図３は図１に示す装飾体の製造工程を示した説明図である。これらの図において、１は、被装飾体２の表面に装飾粉３を定着させてなる装飾体である。
【００１９】
被装飾体２は、後述する被装飾体２の表面に装飾粉３を定着させるための接着剤に含有される稀釈剤によって溶解しない素材で形成すればよく、例えば、金属、プラスチック、石などを使用すればよい。
【００２０】
装飾粉３は、図２に示すように、銀箔４の両面を樹脂層５によって被覆してなる三層状の装飾箔６を粉砕して粉状にしたものである。銀箔４は、打箔であれば、手打ちによって打ち延ばされたものであってもよく、打箔機によって打ち延ばされたものであってもよい。銀箔４は、厚さ１０〜１００μｍのものが好ましく、３０〜６０μｍのものがより好ましい。樹脂層５は、必要な強度や性質を有する樹脂を塗布して形成される。また、樹脂に顔料などの色素を混ぜることで、銀箔４を着色することもできる。
【００２１】
次に、本実施の形態に係る装飾体１の製造工程を説明する。
【００２２】
先ず、銀箔４の両面に樹脂を塗布して乾燥させて銀箔４の両面に樹脂層５を形成することによって装飾箔６を形成し（図３の（ａ）参照）、続いて、装飾箔６を細かく粉砕して篩を通過させることで所定の粒径以下の装飾粉３を得る。次に、被装飾体２（例えば、小石）の表面に接着剤を塗布した後、接着剤に含まれる稀釈剤を揮発させて接着剤に粘性が生じるまで放置する。そして、装飾粉３を収納した容器７内に被装飾体２を入れ（図３の（ｂ）参照）、被装飾体２を装飾粉３に潜らせることによって被装飾体２の表面に塗布された接着剤に対して装飾粉３を付着させる。この後、一旦、容器７から被装飾体２を取り出して表面に余分に付着した装飾粉３を払い取る（図３の（ｃ）参照）。そして、この作業を数回繰り返した後、被装飾体２の表面に塗布された接着剤が完全に乾燥するまで放置することにより、装飾体１を得ることができる。
【００２３】
被装飾体２の表面に塗布する接着剤は、接着性を有する樹脂を稀釈剤で溶解したものである。樹脂としては、カシュー樹脂、漆などの天然樹脂が好適であるが、エポキシ樹脂、ウレタン樹脂などの合成樹脂を用いることもできる。また、稀釈剤としては、トルエン、酢酸エチルなどが好適であるが、他の稀釈剤を用いることもできる。
【００２４】
装飾粉３を表面に付着させた被装飾体２の接着剤を乾燥させる際には、自然乾燥によって乾燥させてもよいが、銀箔４が変色しない温度である１００〜１５０℃で加熱処理を行って乾燥させても良く、この場合には、被装飾体２は、当該温度で溶解しないものである必要がある。
【００２５】
次に、本実施の形態に係る装飾体の利用態様を説明する。
【００２６】
本実施の形態に係る装飾体の利用態様としては、例えば、水洗の洋式トイレにおいて水溜用タンクの上部に設けられた手洗部に設置することができる。手洗部に装飾体を配置することによって、トイレを装飾することができると共に、トイレの水を流した際に、手洗部を介して水溜用タンク内に流れ込む水が装飾体に接触して銀イオンが放出され、タンク内の水が殺菌されるため、カビなどの繁殖を抑制することができる。
【００２７】
また、他の利用態様として、魚などの水生動物を飼うための水槽中に設置することにより、水槽を装飾することができると共に、水槽内の水へ銀イオンが放出され、水槽内の水が殺菌されるため、藻などの発生を抑制することができる。
【００２８】
実施例１．
【００２９】
先ず、厚さ５０μｍの銀箔（打箔）を用意し、銀箔の両面に顔料を分散させた樹脂を塗布した後、乾燥させて樹脂層を形成して装飾箔を得た後、装飾箔をミキサーによって粉砕し、粉砕された装飾箔の粉を１００メッシュの篩に通して装飾粉を得た。
【００３０】
次に、トルエン（稀釈剤）１００ｇに対してカシュー樹脂３０ｇを溶解して接着剤を形成した。そして、被装飾体として用意した小石の表面に接着剤を塗布し、稀釈剤が揮発することによって接着剤に粘性が生じるまで約１０分間放置した。続いて、装飾粉が入れられた容器に小石を投入し、小石を装飾粉に潜らせて小石の表面に装飾粉を付着させた後、一旦容器から小石を取り出して余分に付着した装飾粉を除去し、この作業を数回繰り返し行った。最後に、接着剤が完全に乾燥するまで放置して装飾体を得た。
【００３１】
ここに得た装飾体の殺菌力を検査するため、大腸菌が1.7×10５個存在する試験体中に装飾体を配置し、２４時間後の大腸菌残存個数を測定した。また、同様の検査を黄色ブドウ球菌が1.4×10５個存在する試験体に対しても行った。なお、それぞれの菌に対して試験は３回行った。これらの検査結果を表１に示す。
【００３２】
【表１】
2008137281.tif 000003
【００３３】
表１によれば、試験体中に存在していた各菌は、装飾体を配置して２４時間経過後には、１０個以下の数値になり、ほぼ死滅していることが確認できる。なお、装飾体には、顔料の色彩が鮮明に表れており、装飾効果も十分に発揮している。
【００３４】
また、ここに得た装飾体を水の入っている金魚鉢に投入し、室内に４週間放置した後、水中から引き上げ、当該装飾体の表面を目視にて観察したところ、装飾粉の剥離箇所は見当たらなかった。
【図面の簡単な説明】
【００３５】
【図１】実施の形態に係る装飾体を示した断面図である。
【図２】図１の装飾体の表面に付着された装飾粉を示した断面図である。
【図３】図１に示す装飾体の製造工程を示した説明図である。
【符号の説明】
【００３６】
１  装飾体
２  被装飾体
３  装飾粉
４  銀箔
５  樹脂層
６  装飾箔
７  容器
【図１】
2008137281.tif 000004
【図２】
2008137281.tif 000005
【図３】
2008137281.tif 000006